(57)【要約】【課題】表示装置に接続されたケーブルの種類を自動的に判別して適切な仕様情報をホストに送信する。【解決手段】ホスト１０と表示装置１００とがデジタル用のＤＶＩ−Ｄ〜ＤＶＩ−Ｄケーブル１４を介して接続されると、ホストからＤＤＣ５Ｖが検出トランジスタ１９のエミッタに加えられ、抵抗１７により低い電圧がベースに加えられて検出トランジスタはオンとなり、コレクタ電圧がＨレベルとなってマルチプレクサ２１はデジタルＥＤＩＤを記憶した不揮発性メモリ２３側に切り替えられる。アナログ用のＤ−Ｓｕｂ〜ＤＶＩ−Ｉ変換ケーブル１５を介して接続されると、ケーブルのＤＤＣ５Ｖ端子とＨＰＤ端子とが短絡されているので、検出トランジスタはオフとなり、コレクタ電圧がＬとなって、マルチプレクサはアナログＥＤＩＤを記憶した不揮発性メモリ側に切り替えられる。【選択図】　　　　図１
2004077506.tif 000002
【特許請求の範囲】
【請求項１】
表示装置の複数の仕様情報を記憶する記憶手段と、
複数種類のケーブルが選択的に接続可能になされると共に、前記ケーブルの電源供給端子と接続される第１の端子と前記ケーブルの電源供給検出端子と接続される第２の端子を有する接続手段と、
前記第１、第２の端子間に接続される抵抗と、
前記抵抗による電位差を検出することにより前記接続手段に接続されたケーブルの種類を判別する判別手段と、
前記判別手段の判別結果に基づいて前記記憶手段から前記仕様情報の一つを選択する選択手段と、
前記選択手段で選択された仕様情報を前記接続手段及びケーブルを介してコンピュータに送信する送信手段とを設けたことを特徴とする表示装置。
【請求項２】
前記記憶手段に記憶される複数の仕様情報は、デジタルインターフェース形式の仕様情報とアナログインターフェース形式の仕様情報であることを特徴とする請求項１に記載の表示装置。
【請求項３】
前記複数種類のケーブルは、前記コンピュータからの電源供給ラインと電源供給検出ラインと前記仕様情報送信ラインと前記コンピュータからのデジタルビデオ信号送信ラインとを有する第１のケーブルと、前記コンピュータからの電源供給ラインと前記仕様情報送信ラインと前記コンピュータからのアナログビデオ信号送信ラインとを有し、且つ前記電源供給ラインと前記接続手段の前記第２の端子とが短絡されている第２のケーブルであることを特徴とする請求項１又は２記載の表示装置。
【請求項４】
前記仕様情報は、プラグアンドプレイ機能のためのＥＤＩＤであり、前記第１のケーブルは、ＤＶＩ−Ｄ〜ＤＶＩ−Ｄケーブルであり、そのＨＰＤ端子とＤＤＣ５Ｖラインとが短絡されてなく、前記第２のケーブルは、Ｄ−Ｓｕｂ〜ＤＶＩ−Ｉ変換ケーブルであり、そのＨＰＤ端子とＤＤＣ５Ｖラインとが短絡されており、且つ前記接続手段におけるＨＰＤ端子とＤＤＣ５Ｖ端子との間に抵抗が接続され、前記判別手段は、前記抵抗両端の電位差を検出し、検出結果に基づいて前記選択手段を制御することを特徴とするを請求項３記載の表示装置。
【請求項５】
前記判別手段は、前記ＤＤＣ５Ｖラインから電源を供給され、前記送信手段及び記憶手段は、前記ＤＤＣ５Ｖラインから第１のダイオードを介して、又は内部電源から第２のダイオードを介して電源を供給されることを特徴とする請求項４記載の表示装置。
【請求項６】
前記選択手段はマルチプレクサであることを特徴とする請求項１〜５の何れか１項に記載の表示装置。
【請求項７】
表示装置の複数の仕様情報を記憶する記憶手段と、複数種類のケーブルが選択的に接続可能になされると共に、前記ケーブルの電源供給端子と接続される第１の端子と前記ケーブルの電源供給検出端子と接続される第２の端子を有する接続手段と、前記第１、第２の端子間に接続される抵抗と、前記抵抗による電位差を検出することにより前記接続手段に接続されたケーブルの種類を判別する判別手段と、前記判別手段の判別結果に基づいて前記記憶手段から前記仕様情報の一つを選択する選択手段と、前記選択手段で選択された仕様情報を前記接続手段及びケーブルを介してコンピュータに送信する送信手段とを設けてなる表示装置と、
前記接続手段に接続される前記複数種類のうちの１つのケーブルと、
前記ケーブルを介して前記表示装置と接続される接続手段と、前記表示装置から送られてくる前記仕様情報に基づいてビデオ信号を前記表示装置に送信する送信手段とを有するコンピュータとを備えたことを特徴とする表示システム。
【請求項８】
前記複数種類のケーブルは、前記コンピュータからの電源供給ラインと電源供給検出ラインと前記仕様情報送信ラインと前記コンピュータからのデジタルビデオ信号送信ラインとを有する第１のケーブルと、前記コンピュータからの電源供給ラインと前記仕様情報送信ラインと前記コンピュータからのアナログビデオ信号送信ラインとを有し、且つ前記電源供給ラインと前記接続手段の前記第２の端子とが短絡されている第２のケーブルであることを特徴とする請求項７記載の表示システム。
【請求項９】
一端にコンピュータと接続される第１のコネクタを有し、他端に表示装置と接続される第２のコネクタを有し、
前記第１、第２のコネクタ間に、前記コンピュータからの電源供給ラインと、前記表示装置からの仕様情報送信ラインと前記コンピュータからのアナログビデオ信号送信ラインとが設けられ、
前記第２のコネクタには前記電源供給ラインに短絡された電源供給検出端子が設けられていることを特徴とするケーブル。
【発明の詳細な説明】
【０００１】
【発明の属する技術分野】
本発明は、デジタルビデオ信号を出力するホスト、又はアナログビデオ信号を出力するホストがそれぞれ専用のケーブルを介して表示装置に接続されてなる表示システムに用いて好適な表示システム、表示装置及びこの表示装置とコンピュータとを接続するケーブルに関するものである。
【０００２】
【従来の技術】
従来より、ビデオ信号としてアナログＲＧＢ（赤緑青）信号を出力するコンピュータのグラフィックカード等のホスト、又はビデオ信号としてデジタルＴＭＤＳ（Ｔｒａｎｓｉｔｉｏｎ　Ｍｉｎｉｍｉｚｅｄ　Ｄｅｆｅｒｅｎｔｉａｌ　Ｓｉｇｎａｌｉｎｇ）信号を出力する同様のホストをそれぞれ専用のケーブルを介して選択的に表示装置に接続し、各ホストからの上記ビデオ信号を表示するようにした表示システムが知られている。
【０００３】
上記ホストとしての現在のコンピュータのオペレーティングシステムには、ホストに表示装置が接続されると、そのホストが表示装置の仕様情報を読み取り、その仕様情報に応じて適切なドライバソフトウェアを選択すると共に、適切な表示が行えるように自動的にホスト内部の設定を行うプラグアンドプレイ機能が備えられている。
【０００４】
プラグアンドプレイ対応の表示装置がホスト側に与える上記仕様情報はＥＤＩＤ（Ｅｘｔｅｎｄｅｄ　Ｄｉｓｐｌａｙ　Ｉｄｅｎｔｉｆｉｃａｔｉｏｎ　Ｄａｔａ）と呼ばれ、表示装置の解像度、同期信号周波数、製造番号等の情報を含み、また、表示装置が対応可能なインターフェイス形式、即ち、ビデオ信号が前記アナログＲＧＢ（赤緑青）信号かデジタルＴＭＤＳ信号かによっても異なるデータになる。このＥＤＩＤは、接続ケーブル内のＤＤＣ（Ｄｉｓｐｌａｙ　Ｄａｔａ　Ｃｈａｎｎｅｌ）通信ラインと呼ばれるＳＣＬクロックラインとＳＤＡデータラインを介してホストに送信される。
【０００５】
前記インターフェイス形式は、アナログ信号を取り扱うＤ−Ｓｕｂコネクタ（１５−ｐｉｎ　Ｄ−Ｓｈｅｌｌ　Ｄｉｓｐｌａｙ　Ｃｏｎｎｅｃｔｏｒ）を用いたアナログインターフェイス形式が主であったが、アナログ信号及びデジタル信号の両方を取り扱うことができるインターフェイスの標準規格として、米国のＶＥＳＡ（Ｖｉｄｅｏ　Ｅｌｅｃｔｒｏｎｉｃ　Ｓｔａｎｄａｒｄ　Ａｓｓｏｃｉａｔｉｏｎ）が提唱しているＤＶＩも普及しつつある。ＤＶＩには、アナログ、デジタル双方のビデオ信号に適応するＤＶＩ−Ｉと、デジタルＴＭＤＳ信号のみに適応するＤＶＩ−Ｄとがあり、ＤＶＩ−Ｉのコネクタプラグは、表示装置側のデジタル用ＤＶＩ−Ｄコネクタリセプタクルには挿入できないような配慮がなされている。しかしＤＶＩの普及の一方で、Ｄ−Ｓｕｂアナログインターフェイスを持つホストも数多く残っている。
【０００６】
このため、表示装置にはアナログ、デジタル双方のビデオ信号に適応できるＤＶＩ−Ｉリセプタクルが備えられ、ホストがＤ−Ｓｕｂコネクタの場合は、Ｄ−Ｓｕｂ〜ＤＶＩ−Ｉ変換ケーブルを用い、また、ホストがＤＶＩ−Ｄコネクタの場合は、両端がＤＶＩ−Ｄの接続ケーブルを用いることにより接続される表示装置が製品化されている。
【０００７】
アナログ、デジタル双方のビデオ信号に適応できるＤＶＩ−Ｉリセプタクルを備えた表示装置は、プラグアンドプレイ機能を実現するために、アナログ用ＥＤＩＤを格納した第１の不揮発性メモリと、デジタル用ＥＤＩＤを格納した第２の不揮発性メモリの合計２個持つ必要がある。しかし、アナログインターフェイスのＤ−Ｓｕｂコネクタはもちろん、ＤＶＩ−Ｉコネクタであっても、ＥＤＩＤを読み取るＤＤＣ通信ラインはＳＣＬ、ＳＤＡがそれぞれ１ライン、即ち、１チャンネル分しか備えられていない。従って、アナログ、デジタル双方のビデオ信号に適応できるＤＶＩ−Ｉリセプタクルを備えた表示装置は、アナログ用とデジタル用の各不揮発性メモリとＳＣＬ、ＳＤＡラインとをマルチプレクサを介して接続し、マルチプレクサを切り替えることにより、１チャンネルのＤＤＣ通信ラインを選択的に使用してホストにＥＤＩＤデータを送信する構成にする必要がある。
【０００８】
また、これらの複数の不揮発性メモリとマルチプレクサによる切り替え回路は、ホスト側が接続ケーブルを通じて表示装置に供給する電源（ＤＤＣ５Ｖ）を通じて動作させる必要がある。これは、ユーザが表示装置よりも先にホストを起動してもプラグアンドプレイ機能を実現するためである。
【０００９】
ところが、マルチプレクサの切り替えが適切でないと、アナログインターフェイスでありながらデジタル用ＥＤＩＤを送出してしまうか、又は逆にデジタル用インターフェイスでありながらアナログ用ＥＤＩＤを送出してしまう場合がある。このように誤ったＥＤＩＤをホストが受信すると、適切なドライバソフトウェアが選択されず、このため全く画面が映し出されないか、あるいは正常な表示が行われないことになる。
【００１０】
ＤＤＣ５Ｖの電圧のみでマルチプレクサを切り替えるために、従来より、図５のように予めどちらのＥＤＩＤを読み出すかを表示装置のコントロールキー６１によりユーザに選択させ、この選択結果を第３の不揮発性メモリ５２に記憶させ、その情報に基づいてマルチプレクサ２１を切り替える方法が提案されている。尚、図において、２２はアナログＥＤＩＤを記憶した不揮発性メモリ、２３はデジタルＥＤＩＤを記憶した不揮発性メモリ、１６はＤＶＩ−Ｉリセプタクル１６である。
【００１１】
また、図６は特開２００１−１７５２３０号公報に開示された表示システムの構成を示す図である。これはアナログ信号用のホスト１１に接続されるＤ−Ｓｕｂ〜ＤＶＩ−Ｉ変換ケーブル５６のＤＤＣ５Ｖを開放又は接地（図では開放）しておき、ＤＤＣ５Ｖの電圧に基づいてマルチプレクサ２１を自動的に切り替えるもので、アナログ同期信号の整流回路５４を付加し、Ｄ−Ｓｕｂ〜ＤＶＩ−Ｉ変換ケーブル５６が接続されたときは、この整流回路５４の出力を電源として、アナログ用ＥＤＩＤが格納された不揮発性メモリ２２の電源を投入、及びマルチプレクサ２１をアナログ用ＥＤＩＤ側に切り替える方法である。尚、１０はデジタル信号用のホスト、１４はＤＶＩ−Ｉリセプタクル１６とホスト１０を接続するＤＶＩ−Ｄ〜ＤＶＩ−Ｄケーブルであり、ＤＤＣ５Ｖは開放又は接地されていない。
【００１２】
【発明が解決しようとする課題】
しかしながら、図５の構成では、ユーザが表示装置上のコントロールキー６１による設定操作を必要とし、また設定を誤った場合は、正しいＥＤＩＤが送出されないばかりか、第３の不揮発性メモリ５２を修正する必要があり、さらに煩雑な操作を必要とする。
【００１３】
また、図６の方法では、ユーザが設定を行わないので操作は煩雑ではない。しかし、ホスト側が先ずＥＤＩＤを読み取ってからビデオ信号を出力するシステムでは、整流回路５４の出力が得られない状態で切り替えられたマルチプレクサ２１を介して誤ったＥＤＩＤを送出してしまうことがある。また、図６の方法は、同期信号の整流回路５４が必要となり、ダイオードへの基板配線や端子間容量により同期波形が乱れる、又は鈍るため画質に影響を及ぼすという問題点がある。特に液晶表示装置に代表されるフラットパネルディスプレイは、アナログビデオ信号をＡＤ変換する必要があり、ＡＤ変換するためのサンプリングクロックは水平同期信号を基準として生成される。従って、同期波形の乱れや鈍りは、サンプリングクロックの位相変化を増大させ、ビデオ信号のサンプリング点の変化が輝度変化となって見えるいわゆる位相ノイズが悪化するという問題点がある。
【００１４】
さらに、図６の方法では、Ｄ−Ｓｕｂ〜ＤＶＩ−Ｉ変換ケーブル５６のＤＤＣ５Ｖが開放されているので、整流回路５４を持たない表示装置にこのケーブルを使用した場合にはプラグアンドプレイ機能が実現できない、即ち、ケーブルの汎用性が低いという問題点があった。
【００１５】
本発明は上記の問題を解決するためのもので、表示装置上での煩わしい設定を必要とせず、さらには汎用性の高いケーブルによって正しいＥＤＩＤを選択的に出力することができる表示装置、表示システム及びケーブルを提供することを目的とするものである。
【００１６】
【課題を解決するための手段】
上記の目的を達成するために本発明による表示装置は、表示装置の複数の仕様情報を記憶する記憶手段と、複数種類のケーブルが選択的に接続可能になされると共に、前記ケーブルの電源供給端子と接続される第１の端子と前記ケーブルの電源供給検出端子と接続される第２の端子を有する接続手段と、前記第１、第２の端子間に接続される抵抗と、前記抵抗による電位差を検出することにより前記接続手段に接続されたケーブルの種類を判別する判別手段と、前記判別手段の判別結果に基づいて前記記憶手段から前記仕様情報の一つを選択する選択手段と、前記選択手段で選択された仕様情報を前記接続手段及びケーブルを介してコンピュータに送信する送信手段とを設けたものである。
【００１７】
また、本発明による表示システムは、表示装置の複数の仕様情報を記憶する記憶手段と、複数種類のケーブルが選択的に接続可能になされると共に、前記ケーブルの電源供給端子と接続される第１の端子と前記ケーブルの電源供給検出端子と接続される第２の端子を有する接続手段と、前記第１、第２の端子間に接続される抵抗と、前記抵抗による電位差を検出することにより前記接続手段に接続されたケーブルの種類を判別する判別手段と、前記判別手段の判別結果に基づいて前記記憶手段から前記仕様情報の一つを選択する選択手段と、前記選択手段で選択された仕様情報を前記接続手段及びケーブルを介してコンピュータに送信する送信手段とを設けてなる表示装置と、前記接続手段に接続される前記複数種類のうちの１つのケーブルと、前記ケーブルを介して前記表示装置と接続される接続手段と、前記表示装置から送られてくる前記仕様情報に基づいてビデオ信号を前記表示装置に送信する送信手段とを設けてなるコンピュータとを備えたものである。
【００１８】
また、本発明によるケーブルは、一端にコンピュータと接続される第１のコネクタを有し、他端に表示装置と接続される第２のコネクタを有し、前記第１、第２のコネクタ間に、前記コンピュータからの電源供給ラインと、前記表示装置からの仕様情報送信ラインと前記コンピュータからのアナログビデオ信号送信ラインとが設けられ、前記第２のコネクタには前記電源供給ラインに短絡された電源供給検出端子を設けたものである。
【００１９】
【作用】
従って、本発明によれば、ユーザは単にケーブルを接続するだけで、表示装置側で自動的にケーブルの種類を判別し、判別結果に基づいて適切な仕様情報を選択して送信することができる。
【００２０】
【発明の実施の形態】
以下、本発明の実施の形態を図面と共に説明する。
図１は本発明の第１の実施の形態による表示システムを示すブロック図である。
図１において、１００は表示装置で、アナログ・デジタルのビデオ信号共用の接続手段としてのＤＶＩ−Ｉリセプタクル１６を有する。１０はデジタルＴＭＤＳ信号を出力するホストで、ＤＶＩ−Ｄコネクタ１２を有する。１１はアナログＲＧＢ信号を出力するホストで、Ｄ−Ｓｕｂコネクタ１３を有する。
【００２１】
１４は表示装置１００とホスト１０を接続するデジタル信号用のＤＶＩ−Ｄ〜ＤＶＩ−Ｄケーブルで、一端にＤＶＩ−Ｄコネクタ１２と接続されるＤＶＩ−Ｄコネクタ１４ａを有し、他端にＤＶＩ−Ｉリセプタクル１６と接続されるＤＶＩ−Ｄコネクタ１４ｂを有する。また、ＤＤＣ５Ｖライン、ＨＰＤ（Ｈｏｔ　Ｐｌｕｇ　Ｄｅｔｅｃｔ）端子、通信用のＳＣＬライン、ＳＤＡライン及びデジタルＴＭＤＳ信号ラインを有する。ＤＤＣ５ＶラインとＨＰＤ端子とは短絡されていない。尚、ＨＰＤ端子は電源供給検出端子であり、表示装置１００に設けられた後述するＤＶＩ−Ｉリセプタクル１６にＤＶＩ−Ｄ〜ＤＶＩ−Ｄケーブル１４が接続されたとき、ＤＤＣ５Ｖラインから供給される電源電圧を後述する抵抗１７を介して検出し、ホスト１０に伝えることによりコネクタが接続されたことを確認するための端子である。
【００２２】
１５は表示装置１００とホスト１１を接続するアナログ信号用のＤ−Ｓｕｂ〜ＤＶＩ−Ｉ変換ケーブル１５で、一端にＤ−Ｓｕｂコネクタ１３と接続されるＤ−Ｓｕｂコネクタ１５ａを有し、他端にＤＶＩ−Ｉリセプタクル１６と接続されるＤＶＩ−Ｉコネクタ１５ｂを有する。また、ＤＤＣ５Ｖライン、ＥＤＩＤ送信用のＳＣＬライン、ＳＤＡライン及びアナログＲＧＢ信号ラインを有し、ＤＶＩ−Ｉコネクタ１５ｂ側でＤＤＣ５ＶラインにＨＰＤ端子が短絡されている。
【００２３】
表示装置１００において、不揮発性メモリ（ＥＥＰＲＯＭ）２２にはアナログＥＤＩＤが格納され、不揮発性メモリ２３にはデジタルＥＤＩＤが格納されている。前述したように、ＥＤＩＤはこの表示装置１００の仕様情報である。上記不揮発性メモリ２２，２３のデジタルＥＤＩＤ及びアナログＥＤＩＤは、選択手段としてのマルチプレクサ２１で一方が選択され、ＤＶＩ−Ｉリセプタクル１６のＳＣＬ端子、ＳＤＡ端子を介し、ＤＶＩ−Ｄ〜ＤＶＩ−Ｄケーブル１４又はＤ−Ｓｕｂ〜ＤＶＩ−Ｉ変換ケーブル１５を通じてホスト１０又はホスト１１に送信されるようになされている。
【００２４】
不揮発性メモリ２２，２３及びマルチプレクサ２１には、モニタ電源２５から電源電圧が供給されると共に、ＤＤＣ５Ｖ端子からも電源電圧が供給されるようになされている。これらの２つの電源による電流が互いに流出しないようにダイオード２４，２７が互いに逆方向に接続されている。
【００２５】
ＤＶＩ−Ｉリセプタクル１６のＤＤＣ５Ｖ端子とＨＰＤ端子と間には、抵抗１７（Ｒ１）が接続され、これによってＤＤＣ５Ｖ端子とＨＰＤ端子との間で電位差が生じるようになされている。この抵抗１７には抵抗１８が直列に接続され、接地されている。抵抗１７，１８の接続点は判別手段としての検出トランジスタ１９のベースに接続されている。検出トランジスタ１９のコレクタは抵抗２０（Ｒ３）を介して接地され、エミッタはＤＤＣ５Ｖ端子に接続されている。この検出トランジスタ２０のコレクタ電圧が切り替え信号として、Ｈレベル又はＬレベルになることによって、マルチプレクサ２１が切り替えられるようになされている。
【００２６】
尚、この表示装置１００には、図示せずも、ホスト１０又は１１から送信されるアナログ及びデジタルのビデオ信号を表示する機能を有する公知の画像処理回路が備えられているものとする。
【００２７】
次に、上記構成による動作について説明する。
まず、表示装置１００のＤＶＩ−Ｉリセプタクル１６にケーブルが接続されない状態において、モニタ電源２５からの電源電圧がダイオード２４を介して不揮発性メモリ２２，２３及びマルチプレクサ２１に供給されたとする。この電圧はダイオード２７により阻止されるので、ＤＤＣ５Ｖ端子とＨＰＤ端子には電圧は表れず、従って、検出トランジスタ１９は動作せず、切り替え信号としてのコレクタ電圧はＬレベルとなる。これにより、マルチプレクサ２１はアナログＥＤＩＤが記憶された不揮発性メモリ２２側に切り替えられている。
【００２８】
次に、ホスト１０と表示装置１００とがデジタル用のＤＶＩ−Ｄ〜ＤＶＩ−Ｄケーブル１４を介して接続されたとする。この場合は、ＤＤＣ５Ｖ端子とＨＰＤ端子とは短絡されていないので、ホスト１０からＤＤＣ５Ｖが供給されると、この電圧は検出トランジスタ１９のエミッタに加えられると共に、抵抗１７により０．７Ｖ低い電圧がベースに加えられることにより、この検出トランジスタ１９はオンとなる。従って、抵抗２０に電流が流れてコレクタ電圧がＨレベルとなり、マルチプレクサ２１はデジタルＥＤＩＤが記憶された不揮発性メモリ２３側に切り替えられる。
【００２９】
尚、ＤＶＩ−Ｄ〜ＤＶＩ−Ｄケーブル１４を用いた場合は、ＨＰＤ端子を介してホスト１０の回路が接続されることになるが、図１の構成であれば、表示装置１００側からホスト１０側に電流が流れ出しても、検出トランジスタ１９がオン状態であることに変わりはなく、マルチプレクサ２１の状態に変わりはない。
【００３０】
次に、ホスト１１と表示装置１００とがアナログ用のＤ−Ｓｕｂ〜ＤＶＩ−Ｉ変換ケーブル１５を介して接続されたとする。この場合は、ＤＤＣ５Ｖ端子とＨＰＤ端子とが短絡されているので、検出トランジスタ１９のベース・エミッタ間の電位差がなくなる。従って、ベース電流が流れず検出トランジスタ１９はオフとなり、コレクタ電圧がＬレベルとなる。従って、マルチプレクサ２１は不揮発性メモリ２２側に切り替えられる。
【００３１】
尚、モニタ電源２５が投入されない場合でも、ホスト１１からＤＤＣ５Ｖの電源電圧さえ供給されていれば、マルチプレクサ２１及び不揮発性メモリ２２，２３が動作するので、前記の一連の動作を行うことができる。
【００３２】
本実施の形態によれば、ユーザはＤＶＩ−Ｄ〜ＤＶＩ−Ｄケーブル１４又はＤ−Ｓｕｂ〜ＤＶＩ−Ｉ変換ケーブル１５を、デジタル用ホスト１０又はアナログ用ホスト１１を表示装置１００に接続するだけで、表示装置１００は自動的にケーブルの種類を判別し、判別に応じてデジタルＥＤＩＤ又はアナログＥＤＩＤを選択してホスト１０又は１１に送信することができる。そして、ホスト１０又は１１は受信したＥＤＩＤに応じて適切なソフトウェアを選択すると共に、内部設定を行い、表示装置１００に対してデジタル又はアナログの適切なビデオ信号を送ることができ、プラグアンドプレイ機能を実現することができる。
【００３３】
従って、従来のようにユーザが表示装置１００上で設定操作を行う必要がなくなる。また、ホストが信号を送信する前にマルチプレクサ２１の切り替えが行われるので、ホストはＥＤＩＤを受け取ってから適切なビデオ信号を送信することができる。
また、構成上、映像信号や同期信号に対して回路を付加しないので、画質に影響を与えることが全くない。
また、ＨＰＤ端子がＤＤＣ５Ｖ端子に短絡されたＤ−Ｓｕｂ〜ＤＶＩ−Ｉ変換ケーブル１５を他の表示装置に用いても、ＤＤＣ５Ｖラインが開放又は接地されていないので、プラグアンドプレイ機能を実現することができ、ケーブルの汎用性を高めることができる。
【００３４】
さらに、Ｄ−Ｓｕｂインターフェイスを持つ古いタイプのホストでＤＤＣ５Ｖを出力しないものがあるが、本実施の形態では、検出トランジスタ１９の電源をＤＤＣ５Ｖ端子から取ると共に、電流阻止用のダイオード２７を接続しているので、ＤＤＣ５Ｖが供給されていない場合でも、マルチプレクサ２１を切り替えるための検出トランジスタ１９のコレクタ電圧はＬレベルになり、モニタ電源２５が供給されていれば、ＳＣＬ，ＳＤＡラインをアナログＥＤＩＤ側に切り替えることができる。
【００３５】
図２は本発明の第２の実施の形態による表示システムを示すブロック図であり、図１と対応する部分には同一符号を付して重複する説明は省略する。
図２において、本実施の形態は、図１の表示装置１００における検出トランジスタ１９に代えてコンパレータ２９を判別手段として設け、このコンパレータ２９の出力電圧を切り替え信号としてマルチプレクサ２１を切り替えるようにしたものである。コンパレータ２９の＋端子には、ＤＤＣ５Ｖを抵抗３０，３１（Ｒ４、Ｒ５）で分圧した電圧が加えられ、−端子には抵抗１７，１８，２８（Ｒ１、Ｒ２、Ｒ３）で分圧した電圧が加えられている。また、コンパレータ２９の電源電圧はＤＤＣ５Ｖから得ている。
【００３６】
次に、上記構成による動作について説明する。
図２において、表示装置１００のＤＶＩ−Ｉリセプタクル１６にＤＶＩ−Ｄ〜ＤＶＩ−Ｄケーブル１４を接続したときは、コンパレータ２９の出力電圧はＨレベルとなって、マルチプレクサ２１はＳＣＬ、ＳＤＡラインを不揮発性メモリ２３に接続する。また、表示装置１００のＤＶＩ−Ｉリセプタクル１６にＤ−Ｓｕｂ〜ＤＶＩ−Ｉ変換ケーブル１５を接続したときは、コンパレータ２９の出力電圧はＬレベルとなって、マルチプレクサ２１はＳＣＬ、ＳＤＡラインを不揮発性メモリ２２に接続する。各抵抗１７，１８，２８，３０，３１は、接続されるケーブルに応じてコンパレータ２９の出力電圧が上記のように変化するように、その抵抗値Ｒ１、Ｒ２、Ｒ３、Ｒ４、Ｒ５が選ばれている。
【００３７】
本実施の形態によれば、ユーザは使用するホストに応じたケーブルを接続するだけで、表示装置１００側で自動的にアナログＥＤＩＤ又はデジタルＥＤＩＤを選択してホストに送信することができ、第１の実施の形態と同様の効果を得ることができる。
また、コンパレータ２９の＋端子及び−端子に抵抗１７，１８，２８による分圧電圧及び抵抗３０，３１による分圧電圧を加えることにより、コンパレータ２９の出力電圧を変化させているので、抵抗１７，１８，２８の抵抗値の和、及び抵抗３０，３１の抵抗値の和をそれぞれ高くすることができ、従って、消費電流を少なくすることができる。
さらに、ＤＤＣ５Ｖの電圧が変動しても各抵抗による分圧比は変化しないので、安定な判別結果を得ることができる。
【００３８】
図３は本発明の第３の実施の形態による表示システムを示すブロック図であり、図１と対応する部分には同一符号を付して重複する説明は省略する。
図３において、本実施の形態は、図１の２個の不揮発性メモリ２２，２３を大容量の不揮発性メモリ４１に置き換えると共に、ＭＰＵ５１を設けたものである。このＭＰＵ５１にマルチプレクサの機能を持たせると共に、ＲＡＭ４３を設け、このＲＡＭ４３に不揮発性メモリ４１の内容を一時記憶するようにしている。ＭＰＵ５１の電源電圧はＤＤＣ５Ｖ又はモニタ電源２５から供給される。
【００３９】
次に、上記構成による動作について図４のフローチャートを用いて説明する。図１、図４において、表示装置１００のＤＶＩ−Ｉリセプタクル１６にＤＶＩ−Ｄ〜ＤＶＩ−Ｄケーブル１４又はＤ−Ｓｕｂ〜ＤＶＩ−Ｉ変換ケーブル１５を接続すると処理が開始される（ステップ１０１）。次に、不揮発性メモリ４１に記憶されたアナログＥＤＩＤとデジタルＥＤＩＤをＲＡＭ４３に展開する（ステップ１０２）。次に、ホスト１０又は１１よりＤＤＣ通信要求の有無を判断し（ステップ１０３）、要求がなければＤＤＣ／ＥＤＩＤ以外の処理を実行する（ステップ１０４）。
【００４０】
次に、検出トランジスタ１９のコレクタ電圧がＨレベルか否かを判断する（ステップ１０５）。Ｈレベルであれば、ＲＡＭ４３上のアナログＥＤＩＤをＳＣＬ，ＳＤＡラインを通じてホスト１１に送信し（ステップ１１２）、Ｌレベルであれば、ＲＡＭ４３上のデジタルＥＤＩＤをＳＣＬ，ＳＤＡラインを通じてホスト１０に送信する（ステップ１２２）。
【００４１】
本実施の形態によれば、ユーザがケーブルを接続するだけアナログＥＤＩＤ又はデジタルＥＤＩＤを選択してホストに送信することができ、第１の実施の形態と同様の効果を得ることができる。
また、図１の２個の不揮発性メモリ２２，２３を容量の大きな１個の不揮発性メモリ４１に置き換えると共に、マルチプレクサ機能をＭＰＵ５１に持たせているため、部品点数を減らし、安価な構成とすることができる。
【００４２】
【発明の効果】
以上説明したように、本発明によれば、ユーザがケーブルを表示装置に接続するだけの簡単な操作で、ホストがビデオ信号を送信する前に表示装置が自動的にケーブルの種類を判別し、判別に応じてマルチプレクサ等の選択手段の切り替えが行われ、適切な仕様情報を選択してホストに送信することができる。従って、ホストは仕様情報を受け取ってから適切なソフトウェアを選択すると共に内部設定を行い、表示装置に対してデジタル又はアナログの適切なビデオ信号を送ることができ、プラグアンドプレイ機能を実現することができる。
また、映像信号や同期信号に対して回路を付加しないので画質に影響を与えることがなく、さらにケーブルの汎用性を高めることができる。
【図面の簡単な説明】
【図１】本発明の第１の実施の形態による表示システムを示すブロック図である。
【図２】本発明の第２の実施の形態による表示システムを示すブロック図である。
【図３】本発明の第３の実施の形態による表示システムを示すブロック図である。
【図４】第３の実施の形態の動作を示すフローチャートである。
【図５】従来の表示システムを示すブロック図である。
【図６】従来の他の表示システムを示すブロック図である。
【符号の説明】
１０、１１　ホスト
１２　ＤＶＩ−Ｄコネクタリセプタクル
１３　Ｄ−Ｓｕｂコネクタリセプタクル
１５ｂ　ＤＶＩ−　Ｉコネクタ
１５ａ　Ｄ−Ｓｕｂ　コネクタ
１４ａ、１４ｂ　ＤＶＤ−Ｄコネクタ
１４　ＤＶＩ−Ｄ〜ＤＶＩ−Ｄケーブル
１５　Ｄ−Ｓｕｂ〜ＤＶＩ−Ｉ変換ケーブル
１６　ＤＶＩ−Ｉコネクタリセプタクル
１７、１８、２０、２８、３０、３１　抵抗
１９　検出トランジスタ
２１　マルチプレクサ
２２、２３、４１、５２　不揮発性メモリ
２４、２７　ダイオード
２５　モニタ電源
２９　コンパレータ
５１　ＭＰＵ
１００　表示装置
【図１】
2004077506.tif 000003
【図２】
2004077506.tif 000004
【図３】
2004077506.tif 000005
【図４】
2004077506.tif 000006
【図５】
2004077506.tif 000007
【図６】
2004077506.tif 000008